(57)【特許請求の範囲】
【請求項１】
湯水を加熱する加熱手段と、該加熱手段で加熱された湯水を浴槽に流入して湯張りする風呂流路と、該風呂流路に設置され前記浴槽の水位を検出する水位センサと、設定された内容を報知する報知手段を備えたリモコンと、該リモコンで設定した所定の内容を報知するよう制御する制御部とを備えた風呂装置において、前記水位センサで検出された前記浴槽の水位に基づいて浴槽水量を算出する湯量算出手段と、前記水位センサで検出した水位の所定時間における変化率を算出する水位変化率算出手段と、該水位変化率算出手段で算出された所定時間における水位の変化率に基づき前記浴槽内の浴槽水が再利用されたか判断する再利用判断手段と、該再利用判断手段で浴槽水が再利用されたと判断したら再利用された浴槽水量である再利用量を積算する再利用量積算手段と、前記湯量算出手段で算出された浴槽水量に対する前記再利用量積算手段で積算された浴槽水の再利用量の割合を算出する再利用率算出手段とを備え、前記水位変化率算出手段で算出された水位の変化率に基づき前記浴槽内の浴槽水が再利用されたと前記再利用判断手段が判断したら、前記再利用量積算手段で浴槽水の再利用量を積算し、前記再利用率算出手段で前記湯量算出手段で算出された浴槽水量に対する前記再利用量積算手段で積算された再利用量の割合である再利用率を算出して、前記制御部は、前記再利用率算出手段で算出された再利用率を前記報知手段で報知することを特徴とする風呂装置。
【請求項２】
前記制御部は、前記再利用率算出手段で算出された再利用率に基づき、前記報知手段で使用者へのアドバイス情報を報知することを特徴とする請求項１に記載の風呂装置。
【請求項３】
前記浴槽に流入した湯水の量に対する前記湯量算出手段で算出された浴槽水量の割合を算出する残湯率算出手段を備え、前記制御部は、前記報知手段で前記残湯率算出手段により算出された残湯率を報知することを特徴とする請求項１に記載の風呂装置。
【請求項４】
前記制御部は、前記再利用率算出手段で算出された浴槽水の再利用率と前記残湯率算出手段で算出された残湯率とに基づき、前記報知手段で使用者へのアドバイス情報を報知することを特徴とする請求項３に記載の風呂装置。
【請求項５】
湯水を加熱する加熱手段と、該加熱手段で加熱された湯水を浴槽に流入して湯張りする風呂流路と、該風呂流路に設置され前記浴槽の水位を検出する水位センサと、前記風呂流路に設置され前記浴槽に流入した湯水の量を検出する湯張り流量センサと、設定された内容を報知する報知手段を備えたリモコンと、前記リモコンで設定した所定の内容を報知するよう制御する制御部とを備えた風呂装置において、前記湯張り流量センサで検出された前記浴槽へ流入した湯水の量を積算する流入量積算手段と、前記水位センサで検出した所定時間における水位の変化率を算出する水位変化率算出手段と、該水位変化率算出手段で算出された所定時間における水位の変化率に基づき前記浴槽内の浴槽水が排水されたか判断する排水判断手段と、該排水判断手段で前記浴槽内の浴槽水が排水されたと判断したら排水された浴槽水量である排水量を算出する排水量算出手段と、前記流入量積算手段で積算された湯水の量に対する前記排水量算出手段で算出された排水量の割合から再利用された浴槽水量である再利用量の割合を算出する再利用率算出手段とを備え、前記水位変化率算出手段で算出された水位の変化率に基づき前記浴槽内の浴槽水が排水されたと前記排水判断手段が判断したら、前記排水量算出手段で浴槽水の排水量を算出し、前記再利用率算出手段で前記流入量積算手段で積算された湯水の量に対する前記排水量算出手段で算出された排水量の割合から再利用された浴槽水量である再利用量の割合である再利用率を算出して、前記制御部は、前記報知手段で前記再利用率算出手段により算出された再利用率を報知することを特徴とする風呂装置。
【請求項６】
前記制御部は、前記再利用率算出手段で算出された再利用率に基づき、前記報知手段で使用者へのアドバイス情報を報知することを特徴とする請求項５に記載の風呂装置。
【発明の詳細な説明】
【技術分野】
【０００１】
この発明は、加熱手段で加熱された湯水を浴槽に流入する風呂装置に関するものである。
【背景技術】
【０００２】
従来、この種のものにおいて、加熱手段で加熱された湯水の使用量や使用時間に応じた具体的な省エネ度をアドバイス情報としてリモコンで報知することで、湯水の使用状況による省エネ度を使用者が知ることができるものがあった。（例えば、特許文献１）
【先行技術文献】
【特許文献】
【０００３】
【特許文献１】特開２０１１−１４９５８２号公報
【発明の概要】
【発明が解決しようとする課題】
【０００４】
しかし、この従来のものでは、浴槽内に流入した浴槽水を入浴後に洗濯等で再利用することで排水量を減らし、生活に必要な水を節水したことによる省エネ度に関して何の示唆もされておらず、使用者に報知する内容として不完全なものであった。
【課題を解決するための手段】
【０００５】
上記課題を解決するために、本発明の請求項１では、湯水を加熱する加熱手段と、該加熱手段で加熱された湯水を浴槽に流入して湯張りする風呂流路と、該風呂流路に設置され前記浴槽の水位を検出する水位センサと、設定された内容を報知する報知手段を備えたリモコンと、該リモコンで設定した所定の内容を報知するよう制御する制御部とを備えた風呂装置において、前記水位センサで検出された前記浴槽の水位に基づいて浴槽水量を算出する湯量算出手段と、前記水位センサで検出した水位の所定時間における変化率を算出する水位変化率算出手段と、該水位変化率算出手段で算出された所定時間における水位の変化率に基づき前記浴槽内の浴槽水が再利用されたか判断する再利用判断手段と、該再利用判断手段で浴槽水が再利用されたと判断したら再利用された浴槽水量である再利用量を積算する再利用量積算手段と、前記湯量算出手段で算出された浴槽水量に対する前記再利用量積算手段で積算された浴槽水の再利用量の割合を算出する再利用率算出手段とを備え、前記水位変化率算出手段で算出された水位の変化率に基づき前記浴槽内の浴槽水が再利用されたと前記再利用判断手段が判断したら、前記再利用量積算手段で浴槽水の再利用量を積算し、前記再利用率算出手段で前記湯量算出手段で算出された浴槽水量に対する前記再利用量積算手段で積算された再利用量の割合である再利用率を算出して、前記制御部は、前記再利用率算出手段で算出された再利用率を前記報知手段で報知するものである。
【０００６】
また、請求項２では、前記制御部は、前記再利用率算出手段で算出された再利用率に基づき、前記報知手段で使用者へのアドバイス情報を報知するものである。
【０００７】
また、請求項３では、前記浴槽に流入した湯水の量に対する前記湯量算出手段で算出された浴槽水量の割合を算出する残湯率算出手段を備え、前記制御部は、前記報知手段で前記残湯率算出手段により算出された残湯率を報知するものである。
【０００８】
また、請求項４では、前記制御部は、前記再利用率算出手段で算出された浴槽水の再利用率と前記残湯率算出手段で算出された残湯率とに基づき、前記報知手段で使用者へのアドバイス情報を報知するものである。
【０００９】
また、請求項５では、湯水を加熱する加熱手段と、該加熱手段で加熱された湯水を浴槽に流入して湯張りする風呂流路と、該風呂流路に設置され前記浴槽の水位を検出する水位センサと、前記風呂流路に設置され前記浴槽に流入した湯水の量を検出する湯張り流量センサと、設定された内容を報知する報知手段を備えたリモコンと、前記リモコンで設定した所定の内容を報知するよう制御する制御部とを備えた風呂装置において、前記湯張り流量センサで検出された前記浴槽へ流入した湯水の量を積算する流入量積算手段と、前記水位センサで検出した所定時間における水位の変化率を算出する水位変化率算出手段と、該水位変化率算出手段で算出された所定時間における水位の変化率に基づき前記浴槽内の浴槽水が排水されたか判断する排水判断手段と、該排水判断手段で前記浴槽内の浴槽水が排水されたと判断したら排水された浴槽水量である排水量を算出する排水量算出手段と、前記流入量積算手段で積算された湯水の量に対する前記排水量算出手段で算出された排水量の割合から再利用された浴槽水量である再利用量の割合を算出する再利用率算出手段とを備え、前記水位変化率算出手段で算出された水位の変化率に基づき前記浴槽内の浴槽水が排水されたと前記排水判断手段が判断したら、前記排水量算出手段で浴槽水の排水量を算出し、前記再利用率算出手段で前記流入量積算手段で積算された湯水の量に対する前記排水量算出手段で算出された排水量の割合から再利用された浴槽水量である再利用量の割合である再利用率を算出して、前記制御部は、前記報知手段で前記再利用率算出手段により算出された再利用率を報知するものである。
【００１０】
また、請求項６では、前記制御部は、前記再利用率算出手段で算出された再利用率に基づき、前記報知手段で使用者へのアドバイス情報を報知するものである。
【発明の効果】
【００１１】
この発明の請求項１によれば、水位変化率算出手段で算出された水位の変化率に基づき浴槽内の浴槽水が再利用されたと再利用判断手段が判断したら、再利用量積算手段で浴槽水の再利用量を積算し、再利用率算出手段で湯量算出手段で算出された浴槽水量に対する再利用量積算手段で積算された再利用量の割合である再利用率を算出して、再利用率算出手段で算出された再利用率を報知手段で報知するので、浴槽内の浴槽水を再利用した割合である再利用率を使用者が知ることができるので、省エネ度を実感することができる。
【００１２】
また、請求項２によれば、再利用率算出手段で算出した浴槽水の再利用率に基づき、報知手段で使用者へのアドバイス情報を報知するので、浴槽水を再利用したことによる省エネ度を使用者が具体的に知ることができる。
【００１３】
また、請求項３によれば、浴槽に流入した湯水の量に対する湯量算出手段で算出された浴槽水量の割合を算出する残湯率算出手段を備え、報知手段で残湯率算出手段により算出された残湯率を報知するので、浴槽内に残っていた浴槽水の残湯率を使用者が知ることで、積極的に浴槽水を再利用する意識を持たせることができる。
【００１４】
また、請求項４によれば、再利用率算出手段で算出された浴槽水の再利用率と残湯率算出手段で算出された残湯率とに基づき、報知手段で使用者へのアドバイス情報を報知するので、再利用率と残湯率を報知して浴槽水の使用状態を使用者が知ることで積極的に浴槽水を再利用する意識を持たせることができる。
【００１５】
また、請求項５によれば、水位変化率算出手段で算出された水位の変化率に基づき浴槽内の浴槽水が排水されたと排水判断手段が判断したら、排水量算出手段で浴槽水の排水量を算出し、再利用率算出手段で流入量積算手段で積算された湯水の量に対する排水量算出手段で算出された排水量の割合から再利用率を算出して、報知手段で再利用率算出手段により算出された再利用率を報知するので、使用者が再利用した浴槽水の再利用率を排水量から知ることができ、積極的に浴槽水を再利用する意識を使用者に持たせることができる。
【００１６】
また、請求項６によれば、再利用率算出手段で算出した浴槽水の再利用率に基づき、報知手段で使用者へのアドバイス情報を報知するので、浴槽水を再利用したことによる省エネ度を使用者が具体的に知ることができる。
【図面の簡単な説明】
【００１７】
【図１】この発明の実施形態を示す概略構成図
【図２】同発明の実施形態の制御ブロック図
【図３】同発明の実施形態の湯張り動作の試運転を説明するフローチャート
【図４】同発明の第一実施形態の浴槽水の再利用に関する動作を説明するフローチャート
【図５】同発明の第一実施形態の浴槽水の再利用に関する動作を説明するフローチャート
【図６】同発明の第一実施形態の浴槽水の低下速度を説明する図
【図７】同発明の第一実施形態の残湯率と再利用率とに基づくアドバイス情報について説明する図
【図８】同発明の第二実施形態の制御ブロック図
【図９】同発明の第二実施形態の浴槽水の再利用に関する動作を説明するフローチャート
【発明を実施するための形態】
【００１８】
次に、この発明を適用した第一実施形態を図に基づいて説明する。
１は内部に貯湯タンク２を収納した貯湯タンクユニット、３は貯湯タンク２上部の高温水を出湯する出湯管、４は貯湯タンク２に市水を供給する給水管、５は室外に設置され貯湯タンク２内の湯水を加熱する加熱手段としてのヒートポンプユニットである。
【００１９】
６は貯湯タンク２下部とヒートポンプユニット５とを配管で接続するヒーポン往き管、７はヒートポンプユニット５と貯湯タンク２上部とを配管で接続するヒーポン戻り管、８はヒーポン往き管６とヒーポン戻り管７から成るヒーポン循環回路である。
【００２０】
９は給水管４から分岐した給水バイパス管、１０は出湯管３と給水バイパス管９内を流動する湯水を所定の比率で混合して設定された給湯温度に調節する給湯混合弁、１１は出湯管３と給水バイパス管９内を流動する湯水を所定の比率で混合して設定された風呂温度に調節する風呂混合弁である。
【００２１】
１２は給湯混合弁１０で所定の比率で混合された湯水が流動する給湯管、１３は洗面所等に設置され給湯混合弁１０で給湯温度に調節された湯水を開栓することで出湯可能な給湯栓、１４は給湯管１２内を流動する湯水の流量を検出する給湯流量センサ、１５は給湯管１２内を流動する湯水の温度を検出する給湯温度センサである。
【００２２】
１６は貯湯タンク２内の高温水と熱交換して浴槽１７内に貯められた浴槽水を加熱する風呂熱交換器、１８は浴槽水を風呂熱交換器１６に送る風呂戻り管、１９は風呂熱交換器１６で加熱された浴槽水を浴槽１７内に戻す風呂往き管、２０は風呂往き管１９と風呂熱交換器１６と風呂戻り管１８とで形成された風呂循環回路、２１は風呂循環回路２０内の浴槽水を循環させる風呂循環ポンプ、２２は浴槽１７の底部に設置され栓を抜くことで浴槽水を排水する浴槽排水管である。
【００２３】
２３は風呂循環回路２０内に浴槽水が流れているかスイッチのＯＮ／ＯＦＦで検出する流水スイッチ、２４は風呂循環回路２０内にある浴槽水の温度を検出する風呂温度センサ、２５は浴槽１７内にある浴槽水の水圧に基づいて水位を検出する水位センサであり、風呂戻り管１８途中にそれぞれ設置されている。
【００２４】
２６は風呂混合弁１１で混合された湯水を風呂戻り管１８に搬送する湯張り管であり、配管途中には、風呂混合弁１１で混合された湯水の温度を検出する湯張り温度センサ２７と、電動弁を開閉して浴槽１７への湯張り開始及び停止を行う湯張り電磁弁２８と、配管内を流動する湯水の流量から浴槽１７への湯張り量を検出する湯張り流量センサ２９と、浴槽１７の湯水が逆流するのを防止する逆止弁３０とが設置されている。また、風呂戻り管１８と湯張り管２６とで浴槽１７に所定温度の湯水が流入可能な風呂流路を形成している。
【００２５】
３１は貯湯タンク２の上下方向に複数配置された貯湯温度センサで、この実施形態では貯湯温度センサ３１ａ、３１ｂ、３１ｃ、３１ｄ、３１ｅの５つが設置されており、この貯湯温度センサ３１が検出する温度情報によって貯湯タンク２内の残熱量と、貯湯タンク２内の上下方向の温度分布が確認できる。
【００２６】
３２は貯湯タンク２上部に連通した逃し弁、３３は給水管４途中に備えられ管内を流動する給水の温度を検出する給水温度センサ、３４は給水管４に備えられ水道からの圧力を減圧する減圧弁、３５は栓を開栓することで給水管４へ水道水を流入させる給水栓、３６は貯湯タンク２の底部に接続され湯水を外部に排水する排水弁である。
【００２７】
３７はヒートポンプユニット５内の所定位置に設置された外気温センサであり、室外に設置されたヒートポンプユニット５周辺の外気温を検出する。
【００２８】
３８は浴室３９内に設置され使用者が操作することで各種設定が可能な操作部を有したリモコンであり、設定された湯張り量の湯水を浴槽１７内に流入して設定温度で所定時間保温する風呂自動運転を開始する風呂自動スイッチ４０と、浴槽１７に湯張りする浴槽水量である設定湯張り量や浴槽１７に湯張りする浴槽水の設定温度をスイッチ操作で設定可能な増減スイッチ４１と、浴槽１７へ湯水を流入して湯張りする湯張り動作の試運転を開始する試運転スイッチ４２と、浴槽１７へ流入する湯水の設定湯張り湯量や設定温度等を音声で報知するスピーカ４３とが設けられ、更に、ドットマトリクス型の蛍光表示管よりなる表示部４４が設けられており、報知手段としてのスピーカ４３と表示部４４とにより各種設定状況やエラーの内容を使用者に知らせることができる。
【００２９】
４５は貯湯タンクユニット１内に設置された各センサの入力を受け、各アクチュエータの駆動を制御するマイコンを内蔵した制御部であり、水位センサ２５で検出された水位に基づいて浴槽水量を算出する湯量算出手段４６と、水位センサ２５で検出された所定時間における水位の変化率を算出する水位変化率算出手段４７と、該水位変化率算出手段４７で算出された水位の変化率から浴槽水が再利用されたか判断する再利用判断手段４８と、該再利用判断手段４８で浴槽水が再利用されたと判断したら再利用された浴槽水量である再利用量を積算する再利用量積算手段４９と、前記湯量算出手段４６で算出された浴槽水量に対する前記再利用量積算手段４９で積算された再利用量の割合である再利用率を算出する再利用率算出手段５０と、リモコン３８で設定した設定湯張り量に対する風呂自動運転終了時に浴槽１７に残っている残湯量の割合である残湯率を算出する残湯率算出手段５１とが備えられている。
【００３０】
なお、再利用率算出手段５０で算出する浴槽水の再利用率とは、風呂自動運転終了時に湯量算出手段４６で算出された浴槽水量に対する再利用量積算手段４９で積算された浴槽水の再利用量の割合である。
【００３１】
次に、本発明の第一実施形態の具体的な動作について説明する。
まず、通常時での沸き上げ動作について説明すると、各地の時間帯別契約電力における電力単価が安価な深夜時間帯に達したら、制御部４５は、貯湯タンク２内の湯水をヒートポンプユニット５で高温に加熱する沸き上げ動作を開始させる。
【００３２】
制御部４５は、過去一週間における平均使用湯量や貯湯温度センサ３１での検出温度に基づいて貯湯タンク２内に貯湯する湯水の沸き上げ目標温度や湯量を判定し、沸き上げ完了時刻に目標温度の湯水が所定量沸き上がるために沸き上げ動作を開始する沸き上げ開始時刻を算出し、沸き上げ開始時刻に達したと判断したら、ヒートポンプユニット５内部にある図示しないヒーポン循環ポンプを駆動させることで貯湯タンク２内の湯水がヒーポン循環回路８内を流動し、ヒートポンプユニット５で加熱され貯湯タンク２の上部から高温水が順次積層するように貯湯していく。
【００３３】
そして制御部４５は、貯湯温度センサ３１で検出された温度から目標沸き上げ温度の湯水が所定の湯量まで貯湯したと判断したら沸き上げ動作を終了する。
【００３４】
次に、浴槽１７へ設定温度の湯水を設定湯張り量だけ流入する湯張り動作の試運転について図３のフローチャートに基づいて説明する。
まず、リモコン３８の増減スイッチ４１で設定湯張り量を設定したら（ステップＳ１０１）、制御部４５は、リモコン３８の試運転スイッチ４２が操作されたか判断して（ステップＳ１０２）、試運転スイッチ４２が操作されていれば、風呂混合弁１１の給水バイパス管９側を全開にしてから湯張り電磁弁２８を開放して（ステップＳ１０３）、浴槽１７へ水を注水して試運転を開始する。
【００３５】
ステップＳ１０３で湯張り電磁弁２８を開放したら、湯張り流量センサ２９で検出された流量と水位センサ２５で検出された水位上昇量とから浴槽１７の単位水位当たりの湯量（浴槽断面積）を湯量算出手段４６で算出して記憶する。そして、制御部４５は、湯張り流量センサ２９で検出された所定時間当たりの流量と経過時間とから浴槽１７内に流入した水量を算出してリモコン３８で設定した設定湯張り量に到達したか判断し（ステップＳ１０４）、設定湯張り量に到達していれば湯張り電磁弁２８を閉止して浴槽１７への注水を停止する（ステップＳ１０５）。
【００３６】
ステップＳ１０５で浴槽１７への注水を停止したら、作業者は浴槽１７の排水栓を抜いて浴槽水の排水を行う。この時、制御部４５は、水位センサ２５での検出値から浴槽１７内の水位が低下しているか判断し（ステップＳ１０６）、水位が低下していれば浴槽排水管２２を通じて浴槽水が排水されたとして、水位変化率算出手段４７で水位センサ２５で検出された所定時間における水位変化率を算出して浴槽１７から排水した時の低下速度を再利用判断手段４８が記憶し（ステップＳ１０７）、湯張り動作の試運転を終了する。
【００３７】
次に、浴槽１７へ設定湯張り量の湯水を流入して設定温度で保温する風呂自動運転について説明する。
まず、リモコン３８の風呂自動スイッチ４０が操作されたら、制御部４５は、湯張り電磁弁２８を開放して設定温度の湯水が浴槽１７へ流入されるよう風呂混合弁１１の弁開度を調節し、湯張り流量センサ２９で検出する所定時間当たりの流量と経過時間とから算出された浴槽１７内に流入した湯水の量から浴槽１７に設定湯張り量の湯水が流入されたと判断したら、湯張り電磁弁２８を閉止し水位センサ２５で検出された浴槽１７の水位を記憶して湯張り動作を終了する。
【００３８】
浴槽１７に設定湯張り量の湯水を流入する湯張り動作が終了したら、制御部４５は、浴槽１７に入浴者が入って水位が増加したことを水位センサ２５で検出されたか、２０分等の所定のインターバル時間が経過したら、風呂循環ポンプ２１を駆動して浴槽水を風呂熱交換器１６で加熱することで設定温度に保温する。そして、制御部４５は、リモコン３８の風呂自動スイッチ４０が再度操作されたか、２時間等の保温動作の所定時間が経過したことを確認したら、保温動作を解除して風呂自動運転を終了する。
【００３９】
次に、風呂自動運転終了後の第一実施形態の制御について図４のフローチャートに基づいて説明する。
まず、制御部４５は、浴槽１７に設定湯張り量の湯水を流入して設定温度で保温する風呂自動運転が終了したか確認し（ステップＳ２０１）、風呂自動運転が終了していれば、湯量算出手段４６は浴槽１７内に存在する浴槽水量を算出して残湯量として記憶し、リモコン３８で設定した設定湯張り量に対する残湯量の割合である残湯率を残湯率算出手段５１で算出する（ステップＳ２０２）。
【００４０】
ステップＳ２０２で浴槽水の残湯量と残湯率とを算出したら、制御部４５は、浴槽１７の水位が低下しているか水位センサ２５での検出値に基づいて判断し（ステップＳ２０３）、浴槽１７の水位が低下してれば、水位変化率算出手段４７で所定時間における浴槽水の水位変化率を算出して確認する（ステップＳ２０４）。
【００４１】
ステップＳ２０４で所定時間における浴槽水の水位変化率を算出して確認したら、水位変化率算出手段４７で算出した浴槽水の水位変化率に基づく水位の低下速度が試運転時に記憶した浴槽水を排水した時の低下速度と同一か再利用判断手段４８で判断して（ステップＳ２０５）、浴槽水の低下速度が試運転時に記憶した排水時の低下速度と異なれば、浴槽水が洗濯等で再利用されたと判断する。
【００４２】
ステップＳ２０５で水位の低下速度が排水した時の低下速度と異なり浴槽水が洗濯等で再利用されていると判断したら、ステップＳ２０５でＮｏとなり、ステップＳ２０６へ進み、制御部４５は、浴槽水の水位低下が停止したか水位センサ２５での検出値から判断し（ステップＳ２０６）、浴槽水の水位低下が停止したと判断したら、水位センサ２５で検出した水位の低下幅と浴槽断面積とから再利用した浴槽水量である再利用量を湯量算出手段４６で算出し、風呂自動運転終了時から算出されてきた再利用量を再利用量積算手段４９で積算して（ステップＳ２０７）、制御部４５は、水位センサ２５の検出値から浴槽１７内に浴槽水が存在しないか判断し（ステップＳ２０８）、浴槽水が存在すると判断したら再度ステップＳ２０３で浴槽１７の浴槽水の水位が低下しているか判断する。
【００４３】
ステップＳ２０８で浴槽１７内に浴槽水が存在しないと判断したら、湯量算出手段４６で算出した風呂自動運転終了時の残湯量に対する再利用量積算手段４９で積算した再利用量の割合である再利用率を再利用率算出手段５０で算出して（ステップＳ２０９）、制御部４５は、スピーカ４３で浴槽水の再利用率と残湯率と所定のアドバイス情報とを音声で流し、表示部４４で浴槽水の再利用率と残湯率と所定のアドバイス情報とを文字で表示して制御を終了する（ステップＳ２１０）。
【００４４】
一方、前記ステップＳ２０５で浴槽水の低下速度が試運転時に記憶した排水時の低下速度と同一だと再利用判断手段４８が判断した場合、図５のフローチャートで示すように制御部４５は、浴槽１７の水位低下が停止したか水位センサ２５での検出値から判断し（ステップＳ３０１）、水位低下が停止していれば浴槽１７の水位を水位センサ２５の検出値で確認する（ステップＳ３０２）。
【００４５】
浴槽１７の水位を水位センサ２５の検出値で確認したら、制御部４５は、水位センサ２５での検出値から浴槽１７内に浴槽水が存在しないか判断し（ステップＳ３０３）、浴槽１７内に浴槽水が存在すると判断したら浴槽水を排水しておらず再利用したとして、水位センサ２５で検出した水位の低下幅と浴槽断面積とから再利用した浴槽水量である再利用量を湯量算出手段４６で算出し、風呂自動運転終了時から算出されてきた再利用量を再利用量積算手段４９で積算して（ステップＳ３０４）、再度ステップＳ２０３で浴槽１７の浴槽水の水位が低下していないか判断する。
【００４６】
一方、前記ステップＳ３０３で浴槽１７内に浴槽水が存在しないと判断したら、湯量算出手段４６で算出した風呂自動運転終了時の残湯量に対する再利用量積算手段４９で積算した再利用量の割合である再利用率を再利用率算出手段５０で算出して（ステップＳ３０５）、制御部４５は、スピーカ４３で浴槽水の再利用率と残湯率と所定のアドバイス情報とを音声で流し、表示部４４で浴槽水の再利用率と残湯率と所定のアドバイス情報とを文字で表示して制御を終了する（ステップＳ３０６）。
【００４７】
なお、ステップＳ２０８及びステップＳ３０３で浴槽水の存在有無を水位センサ２５の検出値から判断しているがこれに限らず、例えば、流水スイッチ２３のＯＮ／ＯＦＦで判断してもよく、制御部４５は、風呂循環ポンプ２１を駆動させて風呂循環回路２０内の浴槽水を循環させ、流水スイッチ２３が所定時間以上ＯＮ状態であれば浴槽１７内に浴槽水が残っていると判断することも可能である。
【００４８】
ここで、浴槽１７の浴槽水が排水されたか、もしくは再利用されたかを判断する方法について説明する。
浴槽１７から浴槽水を排水する場合、使用者が浴槽１７の底面にある栓を抜くことで浴槽水が浴槽排水管２２を通じて排水される。浴槽１７の栓を設置する排水口の大きさは一定なので、浴槽水は図６の実線で示すように所定時間における水位変化率が一定の低下速度で排水され、この排水時の低下速度を湯張り動作の試運転時に再利用判断手段４８が記憶する。
【００４９】
例えば、風呂自動運転終了後に浴槽１７の栓を抜かず洗濯等で使用するため浴槽１７から桶やバケツで何度か浴槽水を取り出した場合、取り出した浴槽水の分だけ水位が低下するので、図６のＡの点線のように浴槽水が一時的に低下してしばらく水位変動がない状態が続く。よって、再利用判断手段４８で一定の排水速度で排水される浴槽水と区別して再利用したことを判断でき、水位センサ２５で検出された水位の低下幅と浴槽断面積とから湯量算出手段４６で再利用した浴槽水量を算出する。
【００５０】
また、浴槽１７内の浴槽水をポンプで吸い上げて洗濯物の洗い動作やすすぎ動作で再利用する全自動洗濯機の場合、浴槽水をポンプで吸い上げると図６のＢの点線のように一定速度で水位が低下する。このポンプの吸い上げによる水位の所定時間における変化率を水位変化率算出手段４７で算出して低下速度を求め、再利用判断手段４８が記憶した排水時の低下速度と比較することで浴槽１７から排水された浴槽水と区別して再利用したことを判断でき、水位センサ２５で検出された水位の低下幅と浴槽断面積とから湯量算出手段４６で再利用した浴槽水量を算出する。
【００５１】
また、ポンプの吸い上げ速度が浴槽水の排水時の低下速度と同一だった場合、水位の変化率だけでは排水したか再利用したか判断できないが、図６のＣの点線のように全自動洗濯機の洗い動作やすすぎ動作では必要量の浴槽水を浴槽１７から吸い上げたらポンプを停止するので、所定時間経過後に浴槽水の水位変化がなくなったことを水位センサ２５の検出値で確認して、再利用判断手段４８で浴槽１７から排水された浴槽水と区別して再利用したことを判断でき、前記ステップＳ３０４で水位センサ２５で検出された水位の低下幅と浴槽断面積とから湯量算出手段４６で再利用した浴槽水量を算出する。
【００５２】
次に、浴槽水の再利用率に基づいて異なる内容を報知するアドバイス情報について詳述する。
まず、残湯率算出手段５１で算出された設定湯張り量に対する残湯量の割合である残湯率から図７で示す７つのカテゴリに分けられ、再利用率算出手段５０で算出された再利用率によって各カテゴリ内から報知するアドバイス情報を選択する。アドバイス情報として報知する内容にはＡ、Ｂ，Ｃ、Ｄの４つがあり、Ａでは「残り湯を十分利用できています。このまま継続して下さい。」、Ｂでは「残り湯を再利用できています。」、Ｃでは「残り湯をほとんど捨ててます。」、Ｄでは「残り湯が設定湯張り量より多くなっています。設定湯張り量を確認してみてはいかがでしょう。」とそれぞれ報知する。
【００５３】
例えば、浴槽１７の設定湯張り量をＶｆ、風呂自動運転終了時に浴槽１７にある浴槽水量である残湯量をＶｒ、風呂自動運転終了時から積算された浴槽水の再利用量をＶｅとし、設定湯張り量Ｖｆを１８０Ｌに設定して風呂自動運転を行った場合、風呂自動運転の保温動作中に所定量の高温水を浴槽１７に流入して浴槽水の温度を上げる足し湯動作や、所定量の水を浴槽１７に注水して浴槽水の温度を下げる差し水動作等を行うことで浴槽１７の水位が増加し、風呂自動運転終了時の残湯量Ｖｒが２２０Ｌだと湯量算出手段４６で算出したら、残湯率算出手段５１は式（１）で残湯率ｘが約１２２％と算出して、制御部４５は、図７で示すカテゴリ６中のいずれかのアドバイス情報から報知する内容を選択する。
（１）残湯率ｘ＝残湯量Ｖｒ／設定湯張り量Ｖｆ
【００５４】
そして、風呂自動運転終了時に２２０Ｌあった残湯量Ｖｒを洗濯等の用途で再利用し、再利用積算手段４９で積算された再利用量Ｖｅが７０Ｌであれば、再利用率算出手段５０は式（２）により再利用率ｙが約３２％と算出し、制御部４５は、図７に示すカテゴリ６の２５％以上５０％未満の範囲に再利用率ｙが属すると判断して、ＣとＤのアドバイス情報をスピーカ４３及び表示部４４で報知する。
（２）再利用率ｙ＝再利用量Ｖｅ／残湯量Ｖｒ
【００５５】
また、制御部４５で所定期間の再利用率を記憶して一日の平均再利用率を算出し、翌日の再利用率と比較した結果を報知してもよく、例えば、３０日間の平均再利用率が２０％で翌日の再利用率が３０％だった場合、制御部４５は、浴槽１７内に浴槽水がないと判断したら、「本日の残り湯の再利用率は３０％です。先月と比較して１０％上昇しています。」とスピーカ４３で音声により報知し、表示部４４に先月の平均再利用率と翌日の再利用率とを並行して棒グラフで表示することで、再利用した浴槽水の割合の変化を使用者が具体的に知ることができ、節水意識を高めることができる。
【００５６】
また、アドバイス情報として報知する内容は上記に限らず、例えば、風呂自動運転終了時の残湯量や再利用量を報知してもよく、例えば、設定湯張り量が１８０Ｌ、風呂自動運転終了時の残湯量が１７０Ｌ、再利用量が７０Ｌであれば、浴槽１７から浴槽水が排水された時に「風呂自動運転終了時の浴槽水量は１７０Ｌで設定湯張り量に対する割合は約９４％、浴槽水を排水するまでに再利用した浴槽水量は７０Ｌで風呂自動運転終了時の残り湯量に対して約４１％です。残り湯を再利用できています。」といったアドバイス情報をスピーカ４３や表示部４４で報知してもよい。
【００５７】
また、制御部４５は、図７で示す再利用率が低い時に報知するＣのアドバイス情報を報知した日の排水量を記憶し、３０日間連続でＣのアドバイス情報が報知されたと判断したら３０日間の平均した排水量を算出し、風呂自動運転終了時に「一ヶ月平均○○Ｌ残り湯を捨てています。再利用しませんか？」とスピーカ４３で音声により報知し、表示部４４に表示することで、排水量を減らして浴槽水を積極的に再利用するよう使用者を促すことができる。
【００５８】
以上のように、風呂自動運転終了時における設定湯張り量に対する浴槽水の残湯量の割合である残湯率と残湯量に対する浴槽水の再利用量の割合である再利用率とに基づき、リモコン３８のスピーカ４３と表示部４４とで残湯率と再利用率を報知し、浴槽水の再利用に関するアドバイス情報を報知することで、使用者が再利用した浴槽水による省エネ度を具体的に知ることができ、積極的に浴槽水を再利用して節水する意識を持たせることができる。
【００５９】
次に、この発明の第二実施形態について説明する。
まず、第二実施形態の構成について第一実施形態との違いを図８で示す制御ブロック図に基づいて説明すると、湯張り流量センサ２９で検出された浴槽１７への湯水の流入量を積算する流入量積算手段５２と、水位変化率算出手段４７で算出された水位の変化率から浴槽水が排水されたか判断する排水判断手段５３と、該排水判断手段５３で浴槽水が排水されたと判断したら排水された浴槽水量である排水量を算出する排水量算出手段５４と、流入量積算手段５２で積算された浴槽１７への湯水の流入量に対する前記排水量算出手段５４で算出された排水量の割合から再利用率を算出する再利用率算出手段５５とが制御部４５に備えられている。
【００６０】
なお、再利用率算出手段５５で算出する浴槽水の再利用率とは、風呂自動運転終了時に流入量積算手段５３で積算された浴槽１７への湯水の流入量に対する再利用されたと推定される浴槽水の割合である。
【００６１】
次に、本発明の第二実施形態の風呂自動運転後の制御について図９のフローチャートに基づいて説明する。
まず、制御部４５は、浴槽１７に設定湯張り量の湯水を流入して設定温度で保温する風呂自動運転が終了したか確認し（ステップＳ４０１）、風呂自動運転が終了していれば、風呂自動運転中に浴槽１７内へ流入した湯水の積算量を流入量積算手段５２で確認し（ステップＳ４０２）、湯量算出手段４６で浴槽１７内に存在する浴槽水量を算出して残湯量として記憶し、リモコン３８で設定した設定湯張り量に対する残湯量の割合である残湯率を残湯率算出手段５１で算出する（ステップＳ４０３）。
【００６２】
ステップＳ４０３で浴槽水の残湯量と残湯率とを算出したら、制御部４５は、浴槽１７の水位が低下しているか水位センサ２５での検出値に基づいて判断し（ステップＳ４０４）、浴槽１７の水位が低下してれば、水位変化率算出手段４７で所定時間における浴槽水の水位変化率を算出する（ステップＳ４０５）。
【００６３】
ステップＳ４０５で所定時間における浴槽水の水位変化率を算出したら、水位変化率算出手段４７で算出した浴槽水の水位変化率に基づく水位の低下速度が試運転時に記憶した浴槽水を排水した時の低下速度と同一か排水判断手段５３で判断して（ステップＳ４０６）、浴槽水の低下速度が試運転時に記憶した排水時の低下速度と同一であれば、浴槽１７から浴槽水を排水していると判断する。
【００６４】
ステップＳ４０６で浴槽水の排水速度が試運転時に記憶した排水速度と同一だと排水判断手段５３が判断したら、制御部４５は、浴槽水の水位低下が停止したか水位センサ２５での検出値から判断し（ステップＳ４０７）、浴槽水の水位低下が停止したと判断したら、水位センサ２５の検出値から浴槽１７内に浴槽水が存在しないか判断し（ステップＳ４０８）、浴槽水が存在すると判断したら再度ステップＳ４０４で浴槽１７の浴槽水の水位が低下しているか判断する。
【００６５】
ステップＳ４０８で浴槽１７内に浴槽水が存在しないと判断したら、水位センサ２５で検出した浴槽１７の水位が低下する直前の水位と浴槽断面積とに基づいて浴槽水の排水量を排水量算出手段５４で算出し、流入量積算手段５２で積算された浴槽１７への湯水の流入量に対する前記排水量算出手段５４で算出された排水量の割合を減じて再利用率算出手段５５で再利用率を算出する（ステップＳ４０９）。そして、制御部４５は、スピーカ４３で浴槽水の再利用率と残湯率と所定のアドバイス情報とを音声で流し、表示部４４で浴槽水の再利用率と残湯率と所定のアドバイス情報とを文字で表示して制御を終了する（ステップＳ４１０）。
【００６６】
次に、第二実施形態における再利用率の算出について詳述する。
例えば、風呂自動運転終了までに流入量積算手段５２で積算した浴槽１７への湯水の流入量をＶｉ、浴槽１７から排水する浴槽水量である排水量をＶｄとし、設定湯張り量を１８０Ｌに設定して風呂自動運転を行った場合、風呂自動運転の保温動作中に所定量の高温水で浴槽水の温度を上げる足し湯動作や、所定量の水を注水して浴槽水の温度を下げる差し水動作等により、浴槽１７へ流入した湯水が２５０Ｌだと流入量積算手段５２で積算され、浴槽１７から排水された浴槽水量が１５０Ｌであれば、再利用率算出手段５５は式（３）で浴槽１７への流入量に対する排水量の割合を減じて再利用率ｙが４０％と算出できる。
（３）再利用率ｙ＝１−（排水量Ｖｄ／流入量Ｖｉ）
【００６７】
以上のように、風呂自動運転中に足し湯動作や差し水動作で浴槽１７に流入した全ての湯水の量に対する浴槽１７からの排水量の割合から再利用率を算出するので、入浴で使用した湯水の量に対して排水した湯水の量の割合を正確に算出することができ、より使用者の入浴実態に合った再利用率を算出して報知することが可能となる。
【００６８】
また、スピーカ４３及び表示部４４で報知するアドバイス情報は前記第一実施形態と同様であり、残湯率算出手段５１で算出された設定湯張り量に対する残湯量の割合である残湯率から図７で示す７つのカテゴリに分けられ、再利用率算出手段５５で算出された再利用率によって各カテゴリ内から報知するアドバイス情報を選択して報知することで、使用者は浴槽水の再利用をどの程度実施できたか把握し積極的に浴槽水を再利用することを意識することができる。
【００６９】
また、本実施例では加熱手段をヒートポンプユニット５として説明したが、これに限らず、太陽熱、ガス、液体燃料による給湯機や電気温水器等に適用することが可能である。
【符号の説明】
【００７０】
１    貯湯タンクユニット
５    ヒートポンプユニット
１７    浴槽
１８    風呂戻り管
２５    水位センサ
２６    湯張り管
２９    湯張り流量センサ
３８    リモコン
４３    スピーカ
４４    表示部
４５    制御部
４６    湯量算出手段
４７    水位変化率算出手段
４８    再利用判断手段
４９    再利用量積算手段
５０    再利用率算出手段
５１    残湯率算出手段
５２    流入量積算手段
５３    排水判断手段
５４    排水量算出手段
５５    再利用率算出手段
【図１】
0005819247.tif 000002
【図２】
0005819247.tif 000003
【図３】
0005819247.tif 000004
【図４】
0005819247.tif 000005
【図５】
0005819247.tif 000006
【図６】
0005819247.tif 000007
【図７】
0005819247.tif 000008
【図８】
0005819247.tif 000009
【図９】
0005819247.tif 000010